(57)【特許請求の範囲】
【請求項１】
勾配屋根とこの勾配屋根の軒先に沿った軒樋とを有し、前記勾配屋根が前記軒樋と交差方向の母屋の壁面に接続される下屋に用いられる軒樋端部材であって、
前記軒樋端部材は、本体を有し、
前記本体は、前記軒樋の端部に接続されて前記軒樋の端部処理を行う軒樋接続部を有する軒樋接続面部と、
前記軒樋接続面部と離間して対向配置される前記壁面に接続される本体の壁面接続部と、
前記軒樋接続面部と前記本体の壁面接続部との上端を接続する雨押さえ接続部と、を有し、
前記雨押さえ接続部が前記勾配屋根の勾配と同じであり、前記勾配屋根の上面に当接配置されることを特徴とする軒樋端部材。
【請求項２】
請求項１に記載の軒樋端部材において、
前記軒樋端部材は、前記軒樋と交差方向の壁面と前記勾配屋根との接合部分に対応した形状であることを特徴とする軒樋端部材。
【請求項３】
請求項１または請求項２に記載の軒樋端部材において、
前記軒樋接続部および前記本体の壁面接続部よりも下方へ延びる下垂部を備えていることを特徴とする軒樋端部材。
【請求項４】
請求項１から請求項３のいずれかに記載の軒樋端部材において、
前記軒樋接続部および前記本体の壁面接続部は、金属製板材を折り曲げて形成されていることを特徴とする軒樋端部材。
【発明の詳細な説明】
【０００１】
【発明の属する技術分野】
本発明は、軒樋端部材に関する。詳しくは、勾配屋根とこの勾配屋根の軒先に沿った軒樋とを有し、前記勾配屋根が前記軒樋と交差方向の壁面に接続される下屋に用いられる軒樋端部材に関する。
【０００２】
【背景技術】
従来、住宅等の建物においては勾配屋根が多く用いられ、勾配屋根には軒先に沿って軒樋が設置される。
また、近年、住宅等の建物はプレハブ化が進められ、軒樋も中間部や端部の部品の組み合わせで形成されるようになっている（実開平5-47163号公報参照）。
ところで、建物の一部の階数が異なる下屋構造を有する建物の場合、例えば、建物の一部分が１階建て（以降、下屋と呼ぶ）で、他の部分が２階建て（以降、母屋と呼ぶ）の建物の場合、母屋の２階壁面に下屋の勾配屋根が接続される。このため、その接続部分には水切りを設置している。
【０００３】
【発明が解決しようとする課題】
近年では、勾配屋根に意匠性を重視した軒の出の少ないデザインが採用される場合がある。このようなデザインを採用し、しかも下屋構造であると、下屋の軒樋の端部は母屋壁面に接続されるため、通常の軒樋端部材を使用できない。また、現場での実測によって軒樋端部材を製作しても、コスト高や施工性の低下という問題があった。
【０００４】
本発明の目的は、納まりがよく、安価で施工容易な軒樋端部材を提供することにある。
【０００５】
【課題を解決するための手段】
上記目的を達成するため、本発明である軒樋端部材は、次の構成を採用する。
本発明を図面を参照して説明すると、請求項１に記載の軒樋端部材３は、勾配屋根１４とこの勾配屋根の軒先に沿った軒樋１５とを有し、前記勾配屋根が前記軒樋と交差方向の母屋の壁面１７に接続される下屋１１に用いられる軒樋端部材３であって、前記軒樋端部材は、本体３１を有し、前記本体は、前記軒樋の端部に接続されて前記軒樋の端部処理を行う軒樋接続部３１Ａを有する軒樋接続面部３１Ｅと、前記軒樋接続面部と離間して対向配置される前記壁面に接続される本体の壁面接続部３１Ｄと、前記軒樋接続面部と前記本体の壁面接続部との上端を接続する雨押さえ接続部３１Ｃと、を有し、前記雨押さえ接続部が前記勾配屋根の勾配と同じであり、前記勾配屋根の上面に当接配置されることを特徴とする。
【０００６】
この発明によれば、軒樋端部材を軒樋接続部と壁面接続部とを含んで構成したので、軒樋の端部処理に加え、下屋の勾配屋根と母屋の壁面との接続部分の水切り機能も果たすことができる。よって、納まりがよく、施工容易である。
また、工場等での製作が可能になるので、安価である。
【００１０】
請求項２に記載の軒樋端部材は、前記軒樋端部材は、前記軒樋と交差方向の壁面と前記勾配屋根との接合部分４２に対応した形状であることを特徴とする。
この発明によれば、軒樋と交差方向の壁面と勾配屋根との接合部分を、軒樋端部材と連続して一体化した形状にしたので、勾配屋根面の防水処理や屋根材の施工を容易に行うことができる。
【００１１】
請求項３に記載の軒樋端部材は、前記軒樋接続部および前記壁面接続部よりも下方へ延びる下垂部３２を備えていることを特徴とする。
この発明によれば、軒樋の下方に配置された幕板１１２や水切り１１１等の部材と母屋の壁面１７との接続部分の間に下垂部を介在させたので、幕板や水切り等の部材と母屋の壁面との接続部分の水切り機能を確実に発揮できる。よって、納まりがよく、施工容易である。
【００１２】
請求項４に記載の軒樋端部材は、前記軒樋接続部および前記本体の壁面接続部は、金属製板材を折り曲げて形成されていることを特徴とする。
この発明によれば、折り曲げ形成なので金型等が不要であり、軒樋端部材を容易かつ安価に製作できる。
【００１３】
【発明の実施の形態】
以下、本発明の実施形態を図面に基づいて説明する。なお、以下の実施形態の説明にあたって、同一構成要件については、同一符号を付し、その説明を省略もしくは簡略化する。
〔第１実施形態〕
図１には、本発明の第１実施形態におけるユニット式建物１が示されている。
ユニット式建物１は、切妻屋根の母屋１６と、この母屋１６に接続される切妻屋根の下屋１１とを含んで構成されている。
【００１４】
母屋１６は、母屋１６の桁行方向の壁面である２つの平面１８と、母屋１６の梁間方向の壁面である２つの妻面１７とを備え、母屋１６の上部に勾配屋根１９を有している。
下屋１１は、下屋１１の桁行方向の壁面であって母屋１６の平面１８と所定の段差を有する２つの平面１３と、下屋１１の梁間方向の壁面である妻面１２とを備え、下屋１１の上部に軒０と呼ばれる軒の出の少ないデザインが採用された勾配屋根１４を有している。勾配屋根１４の軒先には、この軒先に沿って軒樋１５が設けられ、この軒樋１５の母屋１６側の端部には、母屋１６の妻面１７に接続される軒樋端部材３が設けられている。
したがって、母屋１６の平面１８および下屋１１の平面１３は、軒樋１５に沿った方向の壁面となっており、母屋１６の妻面１７および下屋１１の妻面１２は、軒樋１５と交差方向の壁面となっている。
【００１５】
図２には、本実施形態における軒樋端部材３の施工前の斜視図が示されている。  下屋１１は、勾配屋根１４の下地である勾配屋根下地１４Ａと、この勾配屋根下地１４Ａの軒先である軒先１４Ｂとを備えている。
また、下屋１１の平面１３の上部であって軒樋１５の下方には、軒樋１５に沿って幕板１１２が設けられ、その下には水切り１１１が設けられている。また、平面１３の妻面１７側の端部には凹部１３１が設けられ、幕板１１２および水切り１１１は凹部１３１の手前まで延びている。
母屋１６の妻面１７には、下屋１１の勾配屋根下地１４Ａ、軒先１４Ｂ、凹部１３１に沿って凹部１７１が設けられている。
【００１６】
軒樋端部材３は、１枚の金属製板材を折り曲げ加工して形成され、本体３１と、本体３１の下部に形成された下垂部３２とを備えている。
本体３１は、正面が略四角形、側面が略台形状の立体であって、上面が勾配屋根下地１４Ａと同じ勾配を有し、下面が水平になっている。
また、本体３１は、軒樋１５に接続されてその端部処理を行う軒樋接続部３１Ａ（斜線部分）を有する軒樋接続面部３１Ｅと、この軒樋接続面部３１Ｅの後端縁から軒樋１５側に折り曲げ形成され、軒先１４Ｂに接続される軒先接続部３１Ｂと、軒樋接続面部３１Ｅの上縁に折り曲げ形成され、後述する雨押さえ４２（図３参照）に接続される雨押さえ接続部３１Ｃと、この雨押さえ接続部３１Ｃを挟んで軒樋接続面部３１Ｅと対向するように折り曲げ形成され、妻面１７に接続される壁面接続部３１Ｄとを備えている。
ここで、壁面接続部３１Ｄは、軒樋接続部３１Ａの上側および軒樋接続部３１Ａよりも勾配屋根１４の勾配方向下側に配置されている。
【００１７】
下垂部３２は、略直方体であって、本体３１の軒樋接続部３１Ａおよび壁面接続部３１Ｄより下方へ延びるとともに、妻面１７に接続される壁面接続部３２Ｄを備えている。
また、壁面接続部３１Ｄ、３２Ｄは凹部１７１に対応した形状になっており、下垂部３２は凹部１３１に対応した形状となっている。
【００１８】
図３には、本実施形態における軒樋端部材３の施工後の斜視図が示されている。  勾配屋根下地１４Ａと妻面１７との接合部分には、勾配屋根下地１４Ａに沿って雨押さえ４２が設置されている。雨押さえ４２の長辺側の端部は各々凹部１７１と勾配屋根下地１４Ａに固定され、勾配屋根下地１４Ａに沿った方向下側の短辺側の端部は、雨押さえ接続部３１Ｃに接続されて連続して一体化した形状となっている。したがって、雨押さえ接続部３１Ｃが、雨押さえ４２に対応した形状、つまり雨押さえ４２と同一の勾配を備えた形状となっている。
【００１９】
軒樋端部材３の施工方法は、以下のようになる。
先ず、壁面接続部３１Ｄ、３２Ｄを妻面１７の凹部１７１に嵌合させるとともに、下垂部３２を平面１３の凹部１３１に嵌合させる。この際、下垂部３２は幕板１１２および水切り１１１の側端部に接続し、軒先接続部３１Ｂを軒先１４Ｂにステンレス釘で固定する。なお、ステンレス釘に限らず、その他の釘やビス等でもよい。また、軒樋端部材３の壁面接続部３１Ｄ、３２Ｄを妻面１７に固定してもよい。
さらに、妻面１７と勾配屋根下地１４Ａとの接合部分に雨押さえ４２を取り付けて雨押さえ接続部３１Ｃに接続し、ステンレス釘で固定した後、軒樋１５を取り付ける。
その後、防水処理を行い、屋根材を施工する。
【００２０】
したがって、本実施形態によれば、以下の効果がある。
（１）軒樋端部材３を軒樋接続部３１Ａと壁面接続部３１Ｄ、３２Ｄとを含んで構成したので、軒樋１５の端部処理に加え、下屋１１の勾配屋根１４と母屋１６の妻面１７との接続部分の水切り機能も果たすことができる。よって、納まりがよく、施工容易である。
また、工場等での製作が可能になるので、安価である。
（２）壁面接続部３１Ｄ、３２Ｄによって軒樋端部材３を妻面１７に接続したので、下屋１１の勾配屋根１４と妻面１７との接続部分の水切り機能を確実に発揮できる。よって、納まりがよく、施工容易である。
【００２１】
（３）妻面１７と勾配屋根下地１４Ａとの接合部分を、軒樋端部材３と連続して一体化した形状にしたので、勾配屋根下地１４Ａの防水処理や屋根材の施工を容易に行うことができる。
（４）軒樋１５の下方に配置された幕板１１２や水切り１１１と妻面１７との接続部分の間に下垂部３２を介在させたので、幕板１１２や水切り１１１と妻面１７との接続部分の水切り機能を確実に発揮できる。よって、納まりがよく、施工容易である。
（５）折り曲げ形成なので金型等が不要であり、軒樋端部材３を安価かつ容易に製作できる。
【００２２】
〔第２実施形態〕
図４には、本発明の第２実施形態におけるユニット式建物２が示されている。
ユニット式建物２は、ユニット式建物１と異なり、下屋１１の平面１３が母屋１６の平面１８と段差なく連続している。
したがって、軒樋１５の軒樋端部材４が平面１８上の平面１３側の端部に設けられている。
【００２３】
図５には、本実施形態における軒樋端部材４の施工前の斜視図が示されている。
凹部１７１は、第１実施形態と異なり、下屋１１の勾配屋根下地１４Ａ、軒先１４Ｂ、幕板１１２および水切り１１１に沿って、母屋１６の妻面１７だけではなく、平面１８にも設けられている。
軒樋端部材４は、第１実施形態と異なり、本体３１に雨押さえ接続部３１Ｃが設けられておらず、本体３１の上面に折り曲げ形成された壁面接続部３１Ｄと、下垂部３２の平面１８側に軒樋１５に沿って形成された壁面接続部３２Ｄが設けられている。
【００２４】
したがって、本実施形態によれば、第１実施形態で述べた(１)、(３)、(４)、(５)の効果に加え、以下の効果がある。
（６）壁面接続部３１Ｄ、３２Ｄによって軒樋端部材３を平面１８に接続したので、下屋１１の勾配屋根１４と平面１８との接続部分の水切り機能を確実に発揮できる。よって、納まりがよく、施工容易である。
【００２５】
なお、本発明は上述の実施形態に限定されるものではなく、本発明の目的を達成できる範囲での変形、改良等は本発明に含まれるものである。
例えば、下屋１１の平面１３が、母屋１６の平面１８と所定の段差を有するがほぼ連続しているような場合は、妻面１７と平面１８のと両方に壁面接続部を設けてコーナー部を形成してもよい。そうすれば、軒樋端部材を母屋の妻面１７および平面１８に接続したので、下屋１１の勾配屋根１４と妻面１７および平面１８との接続部分の水切り機能を確実に発揮できる。よって、納まりがよく、施工容易である。
【００２６】
【発明の効果】
したがって、本発明である軒樋端部材によれば、以下の効果を奏することができる。
請求項１に記載の発明によれば、軒樋端部材を軒樋接続部と壁面接続部とを含んで構成したので、軒樋の端部処理に加え、下屋の勾配屋根と母屋の壁面との接続部分の水切り機能も果たすことができる。よって、納まりがよく、施工容易である。
また、工場等での製作が可能になるので、安価である。
【００３０】
請求項２に記載の発明によれば、軒樋と交差方向の壁面と勾配屋根との接合部分を、軒樋端部材と連続して一体化した形状にしたので、勾配屋根面の防水処理や屋根材の施工を容易に行うことができる。
【００３１】
請求項３に記載の発明によれば、軒樋の下方に配置された幕板や水切り等の部材と母屋の壁面との接続部分の間に下垂部を介在させたので、幕板や水切り等の部材と母屋の壁面との接続部分の水切り機能を確実に発揮できる。よって、納まりがよく、施工容易である。
【００３２】
請求項４に記載の発明によれば、折り曲げ形成なので金型等が不要であり、軒樋端部材を容易かつ安価に製作できる。
【図面の簡単な説明】
【図１】本発明の第１実施形態を示す全体斜視図である。
【図２】第１実施形態の軒樋端部材の施工前の斜視図である。
【図３】第１実施形態の軒樋端部材の施工後の斜視図である。
【図４】本発明の第２実施形態を示す全体斜視図である。
【図５】第２実施形態の軒樋端部材の施工前の斜視図である。
【符号の説明】
１，２    ユニット式建物
３，４    軒樋端部材
１１      下屋
１２      下屋の妻面
１３      下屋の平面
１４      下屋の勾配屋根
１５      軒樋
１６      母屋
１７      母屋の妻面
１８      母屋の平面
１９      母屋の勾配屋根
３１      本体
３２      下垂部
３１Ａ    軒樋接続部
３１Ｂ    軒先接続部
３１Ｃ    雨押さえ接続部
３１Ｄ    本体の壁面接続部
３２Ｄ    下垂部の壁面接続部
【図１】
0004445109.tif 000002
【図２】
0004445109.tif 000003
【図３】
0004445109.tif 000004
【図４】
0004445109.tif 000005
【図５】
0004445109.tif 000006